(57)【特許請求の範囲】
【請求項１】
分岐路の供給端子を有する遮断器をバスダクト導体に接続される分岐導体に接続するバスダクトの分岐装置であって、
異相間を所定距離離間して並列配置される分岐導体を、着脱自在な遮断器の複数を取付可能に構成すると共に、
前記分岐導体と前記遮断器をケーシング内に収納すると共に、該分岐導体に前記バスダクト導体若しくは前記バスダクトを接続する接続部の導電性接続部材に接触する接触片を設け、該接触片の少なくとも先端近傍を該ケーシングから外側に突出することを特徴とするバスダクトの分岐装置。
【請求項２】
前記遮断器は、前記バスダクト導体の長手方向に並べて複数取付可能に構成されていることを特徴とする請求項１に記載のバスダクトの分岐装置。
【請求項３】
分岐路の供給端子を有する遮断器をバスダクト導体に接続される分岐導体に接続するバスダクトの分岐装置であって、
異相間を所定距離離間して並列配置される分岐導体を、着脱自在な遮断器の複数を取付可能に構成すると共に、
前記分岐導体に、前記バスダクト導体若しくは前記バスダクトを接続する接続部の導電性接続部材に固着された接触片を設け、
前記バスダクト導体若しくは前記導電性接続部材に固着された接触片は、前記バスダクト外若しくは前記接続部外へ導出して前記分岐導体に接続されており、
前記分岐導体及び前記遮断器をケーシング内に収納してなり、
前記遮断器は、前記バスダクト導体の長手方向に並べて複数取付可能に構成されていることを特徴とするバスダクトの分岐装置。
【請求項４】
分岐路の供給端子を有する遮断器をバスダクト導体に接続される分岐導体に接続するバスダクトの分岐装置であって、
異相間を所定距離離間して且つバスダクト導体の長手方向に沿って並列配置される分岐導体を、着脱自在な遮断器の複数を取付可能に構成すると共に、
前記分岐導体及び前記遮断器をケーシング内に収納してなり、
前記遮断器は、前記バスダクト導体の長手方向に並べて複数取付可能に構成されていることを特徴とするバスダクトの分岐装置。
【発明の詳細な説明】
【技術分野】
【０００１】
本発明は、オフィスビル等で電気幹線路を構成するバスダクトを分岐するバスダクトの分岐装置に関する。
【背景技術】
【０００２】
従来、バスダクトの電流を設備機器や分電盤に分岐する分岐装置が用いられている。分岐装置の関連する技術として、特許文献１には、バスダクト導体に挿込接続するプラグイン接触子の端子と遮断器とを接続する導体の中間部を、遮断器を収納するケーシング内の壁面に絶縁材を介して接触し、ケーシングに熱を吸収させる分岐装置が開示されている。    
また、特許文献２には、バスダクトのタップオフの各分岐用端子との接続と遮断とを行うプラグやジャック等の接続手段と、接続手段を介して電源が供給されると共に、接続手段とタップオフとの接続状態と遮断状態との切換を移動を利用して行う遮断器と、遮断器をケーシング内に移動可能に装着するレール等の移動装着手段を備える構成で、分岐接続や遮断時の停電を無くし、又、遮断器の交換や保守点検に要する作業工程を低減できるようにした分岐装置が開示されている。
【０００３】
【特許文献１】実開昭５１−１２１０００号公報
【特許文献２】特開平４−１０９５２２号公報
【発明の開示】
【発明が解決しようとする課題】
【０００４】
ところで、特許文献１、２の分岐装置は、何れも一つの分岐箇所から一つの分岐を行うものであり、複数の分岐を行う際には複数の分岐箇所のそれぞれに分岐装置を設けて分岐する必要がある。しかしながら、一つの分岐箇所から複数の分岐をした方がコスト面で有利であり、又、施工状況によっては一つの分岐箇所から複数の分岐をした方が分岐箇所から設備機器や分電盤までの距離を短くできる場合もある。そのため、一つの分岐箇所から複数の分岐を行える分岐装置が求められている。
【０００５】
本発明は上記課題に鑑み提案するものであって、一つの分岐箇所から複数の分岐を行うことが可能であり、分岐に要するコストを低減することができるバスダクトの分岐装置を提供することを目的とする。
【課題を解決するための手段】
【０００６】
本発明のバスダクトの分岐装置は、分岐路の供給端子を有する遮断器をバスダクト導体に接続される分岐導体に接続するバスダクトの分岐装置であって、異相間を所定距離離間して並列配置される分岐導体を、着脱自在な遮断器の複数を取付可能に構成すると共に、前記分岐導体と前記遮断器をケーシング内に収納すると共に、該分岐導体に前記バスダクト導体若しくは前記バスダクトを接続する接続部の導電性接続部材に接触する接触片を設け、該接触片の少なくとも先端近傍を該ケーシングから外側に突出することを特徴とする。また、前記遮断器は、前記バスダクト導体の長手方向に並べて複数取付可能に構成されていることが望ましい。
また、本発明のバスダクトの分岐装置は、分岐路の供給端子を有する遮断器をバスダクト導体に接続される分岐導体に接続するバスダクトの分岐装置であって、異相間を所定距離離間して並列配置される分岐導体を、着脱自在な遮断器の複数を取付可能に構成すると共に、前記分岐導体に、前記バスダクト導体若しくは前記バスダクトを接続する接続部の導電性接続部材に固着された接触片を設け、前記バスダクト導体若しくは前記導電性接続部材に固着された接触片は、前記バスダクト外若しくは前記接続部外へ導出して前記分岐導体に接続されており、前記分岐導体及び前記遮断器をケーシング内に収納してなり、前記遮断器は、前記バスダクト導体の長手方向に並べて複数取付可能に構成されていることを特徴とする。
また、本発明のバスダクトの分岐装置は、分岐路の供給端子を有する遮断器をバスダクト導体に接続される分岐導体に接続するバスダクトの分岐装置であって、異相間を所定距離離間して且つバスダクト導体の長手方向に沿って並列配置される分岐導体を、着脱自在な遮断器の複数を取付可能に構成すると共に、前記分岐導体及び前記遮断器をケーシング内に収納してなり、前記遮断器は、前記バスダクト導体の長手方向に並べて複数取付可能に構成されていることを特徴とする。
【発明の効果】
【０００７】
本発明のバスダクトの分岐装置は、着脱自在な遮断器を分岐導体に複数取付可能であるから、一つの分岐箇所から必要に応じて一つの分岐や２以上の複数の分岐を行うことが可能である。従って、分岐装置の設置箇所の減少させ、分岐装置の使用個数の減少、分岐に要する作業量の減少を図ることができ、分岐に要するコストを低減することができる。
【０００８】
また、延設する分岐導体の長手方向に並べて複数の遮断器を取付可能とすることにより、複数の遮断器を小スペースで設置することができ、分岐装置の大型化を抑止することができる。
また、遮断器のクリップによる分岐導体の挟持で遮断器を分岐導体に取付可能とすることにより、遮断器を容易に着脱することが可能となり、必要な数の分岐をより簡単に行うことができる。
また、分岐導体と遮断器をケーシング内に収納すると共に、分岐導体にバスダクト導体若しくはバスダクトを接続する接続部の導電性接続部材に接触する接触片を設け、接触片の少なくとも先端近傍をケーシングから外側に突出することにより、分岐装置全体をケーシングで被覆することができると共に、バスダクト導体側や接続部の導電性接続部材側に特別な構造を設けなくとも、着脱自在な状態で分岐導体とバスダクト導体若しくは導電性接続部材を容易に接続することができる。
【発明を実施するための最良の形態】
【０００９】
以下、本発明の実施例を図面に沿って説明するが、本発明は実施例に限定されるものではない。
【実施例１】
【００１０】
第１実施例のバスダクトの分岐装置１００は、例えば図１〜図７に示すように、バスダクト２０・２０を相互に接続する接続部３０にて分岐する際に用いられるものである。
【００１１】
分岐装置１００で分岐されるバスダクト２０は、図５〜図７に示すように、それぞれ絶縁材で被覆され、３線で積層配置されている略細長板状の導体２１と、導体２１の幅方向両側に一対で配置されている略四角筒形のパイプスペーサ２２と、３線の積層した導体２１の厚さ方向両側に一対で配置されている縦断面視略コ字形のハウジング側板２３・２３とを有し、導体２１とパイプスペーサ２２との間でハウジング側板２３・２３に貫通されるボルトやナット等の締着具（図示省略）の締め付けにより、一対のハウジング側板２３・２３で積層された導体２１及びパイプスペーサ２２を挟持固定している。
【００１２】
接続部３０は、異相間を絶縁する略板状の絶縁セパレータ３１と、絶縁セパレータ３１に沿って設けられ且つ対向配置されている略板状の導電性接続部材３２と、両外側の絶縁セパレータ３１・３１の外側に一対で配置され、絶縁セパレータ３１及び導電性接続部材３２を両側から被覆する接続継板３３とを有し、絶縁セパレータ３１、導電性接続部材３２、接続継板３３に貫通され、その貫通部分を絶縁スリーブで被覆された３本のボルト３４とナット３５とで、絶縁セパレータ３１、導電性接続部材３２、接続継板３３が一括締着されている。導電性接続部材３２は、バスダクト導体２１よりも幅広に形成され、対向配置される導電性接続部材３２・３２間に挿入される同相のバスダクト導体２１・２１を電気的に接続する。
【００１３】
バスダクト２０・２０を接続部３０を介して接続する際には、バスダクト２０・２０を接続部３０を挟んで突き合わせ、接続部３０の対向する導電性接続部材３２・３２間に同相の導体２１・２１の絶縁被覆から露出した導体端部２１１・２１１を挿入し、仮締着しているボルト３４とナット３５を締め付けて行う。バスダクト２０・２０を接続した接続部３０の上下の対応開放面には、後述する分岐用の接触部１２２を挿通可能なプラグイン部（図示省略）を有するカバー３６を配置して被覆し、カバー３６をビス等でバスダクト２０のハウジング側板２３等に固定し、バスダクト２０・２０相互の接続が完了する。尚、プラグイン部は、例えば開口されている状態の開口部の他、必要に応じてハンマーなどで開口可能なノックアウト部等としてもよい。
【００１４】
そして、分岐装置１００は、図１及び図３に示すように、基体１１０と、基体１１０に厚さ方向に所定間隔を開けて３線並列配置される分岐導体１２０と、四方の側板１３１と底板１３２と上板１３３を有し、分岐導体１２０の略全体と基体１１０と後述の遮断器１４０の略全体を収容する略箱形のケーシング１３０とを備える。基体１１０は、断面視ハット形状の架台１１１と、後述の板状導体１２１の板厚と略同一幅の溝１１３が上部に所定間隔を開けて３箇所形成された導体支持部材１１２と、断面視ハット形状のカバー１１５を有し、架台１１１は、後述の接触部１２２の配設領域以外に配置されて、ケーシング１３０の底板１３２に両側の下板のボルト締め等で固定され、導体支持部材１１２は、架台１１１の長手方向に所定間隔を開けて架台１１１上に配置されて、取付ボルト１１４で架台１１１に固定される。ケーシング底板１３２と架台１１１の上板１１１ａとの間に形成される空間は、取付ボルト１１４の頭部或いは取付ボルト１１４の軸部や軸部に螺合するナットの設置箇所となり、取付具の設置箇所が確保される。また、ケーシング１３０には、正面視略左側の接触部１２２近傍位置に底板１３２から下方に突出して支持片１３２ａが一対で形成され、正面視の略中央と略右側に底板１３２から下方に突出して固定部１３２ｂが各一対で形成され、正面視略右側で前記右側の固定部１３２ｂより右側に底板１３２から下方に突出して板状の係止片１３２ｃが一対で形成されている。固定部１３２ｂは、縦断面略Ｌ字形の板状で、下板に板状導体１２１の長手方向に若干長い長孔が形成され、底板１３２と長孔を貫通するボルト及びナット等で底板１３２に固着されている。
【００１５】
分岐導体１２０は、図２に示すように、分岐するバスダクト２０の導体２１の長手方向に沿って延び、後述の遮断器１４０が取り付けられる細長板状の板状導体１２１と、板状導体１２１の略先端近傍に設けられた接触部１２２とで構成される。板状導体１２１は、３相のバスダクト導体２１に対応して３相設けられ、導体支持部材１１２の溝１１３に嵌挿されて厚さ方向に所定間隔離間して並置されると共に、架台１１１と導体支持部材１１２で一定の高さに支持される。接触部１２２は、一相の板状導体１２１の略先端近傍の２箇所、三相の板状導体１２１で計６箇所に設けられる。
両外相の接触部１２２は、２枚の板状の接触片１２３・１２３で構成され、各接触片１２３は、側面視略Ｚ字形で、上下方向に延びる下部１２３ａと、下部１２３ａの上端から外方に屈曲延設されている水平部１２３ｂと、水平部１２３ｂの外端から上方に屈曲延設されている上部１２３ｃとを有する。一対の接触片１２３・１２３は、その上部１２３ｃの上端近傍を板状導体１２１の両側に配置され、上部１２３ｃ・１２３ｃと板状導体１２１を貫通するボルトやナット等の締着具１２５の締着で板状導体１２１に固定される。接触片１２３・１２３間の間隔は、下部１２３ａ・１２３ａ間及び水平部１２３ｂ・１２３ｂ間で狭く、上部１２３ｃ・１２３ｃ間で広くなっている。下部１２３ａの先端近傍以外の領域は、異相の接触部１２２と絶縁するための絶縁筒部１２３ｄで被覆され、又、下部１２３ａ・１２３ａの先端近傍は、後述する同相の導電性接続部材３２・３２間に内挿されるように下方に向かって外形が狭くなるテーパ状になっている。
中間相の接触部１２２は、２枚の板状の接触片１２４・１２４で構成され、各接触片１２４は、上下方向に延びる基部１２４ａと、基部１２４ａの上端から上方へ向かって外側に拡がるように傾斜する傾斜部１２４ｂと、傾斜部１２４ｂの上端から上方へ延びる上部１２４ｃとを有する。一対の接触片１２４・１２４も、その上部１２４ｃの上端近傍を板状導体１２１の両側に配置され、上部１２４ｃ・１２４ｃと板状導体１２１を貫通するボルトやナット等の締着具１２５の締着で板状導体１２１に固定される。接触片１２４・１２４間の間隔は、基部１２４ａ・１２４ａ間で狭く、テーパ状に配置された傾斜部１２４ｂ・１２４ｂ間で上方に向かって漸次広くなり、上部１２４ｃ・１２４ｃで広くなっている。基部１２４ａの先端近傍以外の領域は、異相の接触部１２２と絶縁するための絶縁筒部１２４ｄで被覆され、又、基部１２４ａ・１２４ａの先端近傍は、後述する同相の導電性接続部材３２・３２間に内挿されるように下方に向かって外形が狭くなるテーパ状になっている。
【００１６】
接触部１２２は、図３に示すように、その下端近傍、即ち下部１２３ａや基部１２４ａの下端近傍が、ケーシング１３０の底板１３２の所定位置に形成された開口１３４から下方に突出するように配置、固定される。前記突出状態に於いて、外相の接触部１２２の接触片１２３の水平部１２３ｂは、開口１３４近傍の底板１３２上面に固着された碍子１２６の上部に固着されて、撓みや変形を防いで一定の高さに定置されるように保持され、これにより、下部１２３ａのケーシング１３０からの下方への突出量も一定に保持される。
【００１７】
並置された板状導体１２１と架台１１１の周囲には、接触部１２２の領域を含めてこれら全体を被覆するようにし、架台１１１の凸形状と係合し断面視ハット形状のカバー１１５が設けられ、例えば両側の下板の架台１１１との一括したボルト締め等でケーシング１３０の底板１３２に固定される。カバー１１５は、上板１１５ａに長手方向に沿って長方形の開口１１５ｂが形成され、上板１１５ａの両側縁近傍にビス止め用の複数の孔１１５ｃが長手方向に沿って一定間隔で穿設されている。尚、孔１１５ｃは後述の遮断器１４０をビス止め可能な適宜の位置に設けることが可能であるが、本例では適宜の孔１１５ｃを用いて遮断器１４０をカバー１１５の適宜の位置に配置固定できるように、カバー１１５の長手方向全体に亘り短い間隔で孔１１５ｃを形成している。
【００１８】
また、遮断器１４０には、図４〜図７に示すように、ケーシング１４１の上面に開閉操作を担う操作部１４２が設けられ、供給導体が取り付けられる板状の供給端子１４３が正面から突設され、下側に板状導体１２１を挟持するクリップ１４４が配設されている。クリップ１４４は、板状導体１２１を導体厚さ方向から２枚のクリップ片で挟持する構成となっている。尚、クリップ１４４は、板状導体１２１の長手方向に遮断器１４０の長さ全体に亘って設けられるものや、板状導体１２１の長手方向にある程度の長さを有するものを前記長手方向に複数個設けるもの等とすることが可能である。
【００１９】
遮断器１４０は、２枚のクリップ片に板状導体１２１がそれぞれ入り込むように配置され、板状導体１２１の入り込みで両側のクリップ片が若干広がり、クリップ片が各板状導体１２１を挟持する。即ち、遮断器１４０は、クリップ１４４の板状導体１２１の挟持により、ワンタッチで板状導体１２１に取り付けられるようになっている。更に、遮断器１４０のケーシング１４１の平面視に於ける四隅近傍にはビス１４５が取り付けられ、ビス１４５の取付箇所に対応するカバー１１５の孔１１５ｃにビス１４５をねじ込んで、遮断器１４０がカバー１１５にビス止めで固定される。板状導体１２１に取り付けられる遮断器１４０の個数は、板状導体１２１の長さと接触部１２２の分岐容量の許容範囲で、一つ或いは２以上の複数個とすることが可能である。
【００２０】
遮断器１４０がカバー１１５に取り付けられてケーシング１３０に収容された状態では、遮断器１４０の操作部１４２が、分岐装置１００のケーシング１３０の上板１３３に形成されている長方形の操作用開口１３５から外方に突出し、ケーシング１３０の外側から開閉操作可能に設置される。また、ケーシング１３０の正面方向の側板１３１には、遮断器１４０の供給端子１４３に取り付けられるケーブル状等の供給導体を外側に導出するための導出開口部１３６が形成されており、前記供給導体で遮断器１４０から設備機器等へ電気を供給可能である。更に、ケーシング１３０の上板１３３が、蝶番１３７による取付等で開放可能に設けられていることから、遮断器１４０を必要な数にするため、適宜必要な遮断器１４０を追加取り付けして増加させ、或いは不要な遮断器１４０を取り外して減少させることが可能である。
【００２１】
バスダクト２０・２０相互を接続する接続部３０にて分岐装置１００により分岐する場合、図１、図３、図５〜図７に示すように、ハウジング側板２３の上面或いはカバー３６に形成された支持片挿通孔（図示省略）にケーシング１３０の支持片１３２ａを挿入し、支持片１３２ａの挿入箇所を中心に分岐装置１００を回転して、一対の係止片１３２ｃをバスダクト側板２３・２３の両外端に係止し、仮取り付けを行う。前記仮取付により、カバー３６のプラグイン部の開口から上記接触部１２２の突出部分が接続部３０内に挿入されて、外相の接触部１２２の接触片下部１２３ａ・１２３ａが、接触片下部１２３ａ・１２３ａの外面間よりも若干間隔が狭い、外相で対向する同相の導電性接続部材３２・３２間に導体端部２１１より上方に位置するように内挿され、中間相の接触部１２２の接触片基部１２４ａ・１２４ａが、接触片基部１２４ａ・１２４ａの外面間よりも若干間隔が狭い、中間相で対向する同相の導電性接続部材３２・３２間に導体端部２１１より上方に位置するように内挿される。前記内挿された各相の接触片下部１２３ａ・１２３ａ、接触片基部１２４ａ・１２４ａは、それぞれ各相で両側の位置する同相の導電性接続部材３２・３２にバネ性で接触するので、各相のバスダクト導体２１及び導電性接続部材３２と、分岐装置１００の対応する各相の接触部１２２、板状導体１２１、遮断器１４０内の導体が接続される。その後、固定部１３２ｂを上記長孔により内側にずらして固定部１３２ｂを固定するボルトとナットを本締着し、分岐装置１００をバスダクト２０のハウジング側板２３に固定する。
尚、上記例では、導電性接続部材３２・３２間に嵌挿する接触片１２３、１２４のバネ性で外側に位置する導電性接続部材３２・３２に接触する構成としたが、例えば絶縁筒部１２３ｄ、１２４ｄ内で接触片下部１２３ａ・１２３ａ間や接触片基部１２４ａ・１２４ａ間にバネ材若しくはゴム材を固着して介設する等、接触片１２３・１２３間や接触片１２４・１２４間に弾性材を固着して設け、接触片１２３、１２４の外方への付勢、即ち導電性接続部材３２への付勢を強化、安定すると好適である。
また、上記例では、絶縁材で被覆された導体２１を密着して並置している密着絶縁型のバスダクト２０を接続部３０で接続し、接続部３０から分岐装置１００で分岐する場合について説明したが、例えば空気絶縁型のバスダクトを接続部３０等で接続し、接続部３０の導電性接続部材３２等と分岐装置１００の接触片１２３、１２４等を接触して分岐する構成等としてもよい。
上記第１実施例の分岐装置１００は、分岐導体１２０に複数の遮断器１４０を着脱自在に取付可能であり、一つの分岐箇所から必要に応じて一つ或いは２つ、３つなど複数の分岐を容易に行うことができる。そのため、従来は複数の分岐装置の設置や分岐装置自体の除去を必要としていた設備機器等の追加或いは撤去に伴う分岐や分岐除去を一つの分岐装置１００で担うことが可能であり、コストダウンや分岐構造のコンパクト化を実現することができる。更に、通常の分岐装置が設置されている場合に複数の分岐を行う際にも、複数分岐が可能な分岐装置１００に変更する作業で済み、係る点においても作業性やコストパフォーマンスに優れる。また、遮断器１４０は、接触部１２２の上方を含め、板状導体１２１の適宜の箇所に設置することが可能であり、必要に応じて供給導体の導出箇所等を設定することができる。また、遮断器１４０を板状導体１２１の長手方向に並べて複数設け、板状導体１２１とバスダクト２０の長手方向を揃えることにより、複数の遮断器１４０を空間を有効利用してコンパクトに設置することができる。また、多数の遮断器１４０を用いる場合にも、板状導体１２１を長くして容易に対応可能である。また、分岐装置１００が大型化した場合にも、支持片１３２ａ、固定部１３２ｂ、係止片１３２ｃにより容易且つ強固にバスダクト２０に固定することができる。また、バスダクト２０の通電状態のまま分岐装置１００の取付・取り外しや、遮断器１４０の取付・取り外しを行うことができ、分岐作業等の際にバスダクト２０の通電を停止する必要がない。
【実施例２】
【００２２】
次に、第２実施例の分岐装置１００について第１実施例と異なる箇所を説明する。
【００２３】
第２実施例の分岐装置１００は、図８〜図１１に示すように、後述するケーシング１６０の基体１６１の底板１６１ａ上に設けられる導体支持部材１１２で支持され、所定間隔を開けて並列配置される板状導体１５１が、カバー１１５、ケーシング１６０に収容され、各相の板状導体１５１が対応相のバスダクト導体２１と接続され、板状導体１５１にクリップ１４４で取り付けられる遮断器１４０から供給導体で分岐電流を導出する構成は第１実施例と同様であるが、分岐導体１５０が、分岐するバスダクト２０の導体２１の長手方向に直交する方向を長手方向にし、所定距離離間して並列配置される板状導体１５１と、板状導体１５１の略中央から下側にかけて設けられる接触部１５２とで構成される。
外側相の接触部１５２は、図９に示すように、正面視略Ｌ字形板状の中継導体１５３と、側面視略Ｌ字形板状の接触片１５４とで構成される。中継導体１５３は、板状導体１５１の外面に沿って配設される上部１５３ａと、上部１５３ａの下端から水平方向に屈曲延設される水平部１５３ｂを有し、一方の外側相の中継導体１５３の上部１５３ａは正面視右側に、他方の外側相の中継導体１５３の上部１５３ａは正面視左側に配置され、上部１５３ａは板状導体１５１にボルトやナット等の締着具１５５で固定されている。接触片１５４は、水平部１５４ａと、水平部１５４ａの一端から下方へ屈曲延設されている下部１５４ｂとを有し、一対で、下部１５４ｂ・１５４ｂを所定間隔離間し且つ水平部１５４ａ・１５４ａを重ね合わせた状態で配置され、中継導体１５３の水平部１５３ｂにボルトやナット等の締着具１５６で固定されている。接触片１５４は、中継導体１５３に対して二対、各相２箇所に設けられ、水平部１５３ｂの正面視両端近傍に取り付けられている。
中間相の接触部１５２は、一対の接触片１５７で構成され、接触片１５７は、板状導体１５１に沿って配設される上部１５７ａと、上部１５７ａから平面視Ｌ字形に屈曲延設して設けられている中間部１５７ｂと、下方へ向かって幅広となる傾斜を有する傾斜部１５７ｃと、傾斜部１５７ｃの下端から下方に延びる下部１５７ｄを有する。中間相の板状導体１５１に対して、２つの接触部１５２、即ち、二対の接触片１５７が設けられ、中間相の板状導体１５１の一方の片側面に一対の接触片１５７・１５７が上部１５７ａと中間部１５７ｂを重ねた状態にして上部１５７ａ・１５７ａが配置され、同様に他方の片側面にも同様に重ねた状態で且つ前記接触片上部１５７ａと逆側に屈曲するようにして一対の接触片１５７・１５７の上部１５７ａ・１５７ａが配置されて、上部１５７ａがボルトやナット等の締着具１５８で板状導体１５１に固定され、各接触片１５７の外方へ延びる中間部１５７ｂの下側位置に下部１５７ｄが配置される。尚、前記中間相の接触片１５７の構成以外に、例えば一方の接触片１５７を傾斜部１５７ｃ、下部１５７ｄ及び中間部に沿う板状の取付部で構成する等で、前記取付部を他方の接触片１５７の中間部１５７ｂに固着する等、一方の接触片１５７にのみ上部１５７ａや上部１５７ａから屈曲する中間部１５７ｂを形成する構成としてもよい。
上記外側相の対向する接触片１５４・１５４の下部１５４ｂ・１５４ｂの先端外側面、中間相の対向する接触片１５７・１５７の下部１５７ｄ・１５７ｄの先端外側面は、下方に向かって幅狭となるテーパ状に形成されており、第１実施例と同様に、前記下部１５４ｂ・１５４ｂ或いは下部１５７ｄ・１５７ｄの外側面間の距離よりも若干幅狭の接続部３０の導電性接続部材３２・３２間に挿入された際に、導電性接続部材３２・３２にバネ性で接触するようになっている。
また、第２実施例のケーシング１６０は、基体１６１と、基体１６１上に設置される上部カバー１６２とで構成される。基体１６１は、平面視方形の底板１６１ａと、底板１６１ａの四方から上方へ突出形成されている側板１６１ｂと、図示の平面視左右の側板１６１ｂの上端から内方へ屈曲延設されている屈曲部１６１ｃと、図示の平面視上下の側板１６１ｂに大きく形成されている凹部１６１ｄとを有する。上部カバー１６２は、操作用開口１６２ｄが形成されている上板１６２ａと、上板１６２ａの図示平面視上下の端部から下方に突出されている側板１６２ｂとを有し、基体１６１の上方や凹部１６１ｄを被覆する。上部カバー１６２の側板１６２ｂの正面視左下隅近傍と基体側板１６１ｂの正面視左下隅近傍は、ボルト及びナット等の締着具１６３で若干の遊びを持たせた状態で回転可能に固定され、上面カバー側板１６２ｂの正面視右下隅近傍には下向きに凹状になっている切欠１６２ｃが形成され、基体側板１６１ｂの正面視右下隅近傍の前記切欠１６２ｃと対応する位置にはボルト１６４が取り付けられている。即ち、上部カバー１６２は締着具１６３を中心に回転して開閉可能とされており、閉状態ではボルト１６４の切欠１６２ｃへの入り込みによる係合で上部カバー１６２が定置されると共に、前記係合を外して上部カバー１６２を回転し、基体１６１の上方や凹部１６１ｄを開放して開状態にすることが可能である。尚、正面視右側の側板１６１ｂには、供給導体を導出可能な導出開口（図示省略）が形成され、正面視左側の側板１６１ｂには持ち運びなど取り扱いを容易にする取手１６１ｅが取り付けられ、又、支持片１６１ｆに加え、第１実施例と同様に、固定部や係止部（図示省略）が設けられる。
第２実施例の分岐装置１００は、バスダクト導体２１に対して直交するように板状導体１５１を配設し、供給導体をバスダクト２０の長手方向に沿って導出することが可能であるから、バスダクト２０の長手方向に存在する設備機器等に電流を供給する場合に、供給導体を屈曲させずに良好な作業性で行うことができると共に、供給導体を短くすることが可能となる。また、バスダクト導体２１に直交する方向に配置される板状導体１５１に遮断器１４０と取り付ける構成であるため、ケーシング１６０のバスダクト長手方向の長さを短くして小型化することができる。また、ケーシング基体１６１の側板１６１ｂに設けられた大きな凹部１６１ｄにより、遮断器１４０の取付、遮断器１４０への供給導体の取付、分岐導体１５０の組立等の作業を容易化することができる。加えて、一つの分岐箇所から必要に応じて一つ或いは複数の分岐を容易に行うことができる、遮断器１４０を板状導体１５１の必要に応じた箇所に設置して供給導体の導出箇所等を設定することができる、バスダクト２０の通電状態のまま分岐装置１００や遮断器１４０の取付・取り外しを行えて分岐作業等の際に通電を停止する必要がない等、第１実施例で言及した効果を奏する。
【００２４】
以上、本発明の分岐装置の第１、第２実施例について説明したが、本発明は上記実施例に限定されるものではなく、以下のような様々な拡張や変形が可能である。
【００２５】
例えば図１２に示すように、バスダクト２０の長手方向に直交するように分岐導体１７０の板状導体１７１を配置し、外側相の接触部１７２に、正面視で右水平方向に延びる上板１７３ａと、上板１７３ａの右端から下方に傾斜して屈曲する中間部１７３ｂと、中間部１７３ｂの下端から正面視で右水平方向に延びる下板１７３ｃと、下板１７３ｃの所定位置の右端から上方に屈曲してボルト・ナット等の締着具で板状導体１５１に取り付けられる取付部１７３ｄで構成される中継導体１７３を設け、中間相の接触部１７２に、正面視で左水平方向に延びる上板１７４ａと、上板１７４ａの右端から下方に略直角に屈曲する中間部１７４ｂと、中間部１７４ｂの下端から正面視で右水平方向に延びる下板１７４ｃと、下板１７４ｃの所定位置の右端から上方に屈曲してボルト・ナット等の締着具で板状導体１５１に取り付けられる取付部１７４ｄで構成される中継導体１７４を設けると共に、上記第１実施例と同様に下端にテーパ部を有する一対の対向する接触片１７５の上端に水平方向へ屈曲する水平部を設け、前記水平部をボルト・ナット等の締着具で中継導体１７３、１７４の上板１７３ａ、１７４ａに固着する構成としてもよい。前記構成により、平面視に於ける遮断器１４０の取付位置と接触部１７２の位置をずらしてケーシング１８０の高さを抑えることができる。尚、前記取付部１７３ｄ、１７４ｄの上方への突出位置は板状導体１７１の配置間隔に応じて設定される。尚、中継導体１７３、１７４の形状は適宜であり、例えば取付部と水平板で構成される側面視Ｌ字形の中継導体等としてもよい。
【００２６】
また、接触部１２２、１５２、１７２の個数、一対の接触片１２３、１２４、１５４、１５７等の個数は適宜であり、１相に１個或いは２個、３個以上など複数個を適宜の箇所に設けることが可能である。また、一対の接触片は、上記実施例の如くバネ性で外側の導電性接続部材３２に接触する構成以外にも適宜であり、例えば一対の接触片を、接触片内面間の距離よりも若干厚いバスダクト導体２１の露出部をクリップする一対の挟持片としてもよい。また、接触部の構成は、分岐装置の接触片を挿入する上記プラグイン方式に限定されず、例えば導電性接続部材或いはバスダクト導体に分岐用の接触片をボルト・ナット等で固着して予め設け、前記接触片をバスダクト外或いは接続部外へ導出して板状導体や中継導体にボルト・ナット等で固着するタップオフ方式とすることも可能である。
【００２７】
また、遮断器１４０の取付数も上記実施例に限定されず、遮断器１４０の容量、接触部の分岐容量、板状導体の長さに応じて、２個、３個、４個以上等の複数個取り付けることが可能であり、接触部の分岐容量や板状導体の長さを大きくする等により多数の遮断器１４０を板状導体に取付可能である。
また、分岐装置を用いるバスダクトやハウジングの形状・構造、接続構造は適宜であり、例えば接続すべき導体の絶縁被覆から露出した導体端部相互を重ね合わせて締着具で締着する所謂重ね合わせ接続のバスダクトに対して、接触部の一対の接触片を挟持片にし、重ね合わされた導体端部を両側から、或いは前記重ね合わされた導体端部の一方の導体端部を両側から前記一対の挟持片で挟持する構成等としてもよい。また、分岐装置によるバスダクトの分岐箇所は接続部に限定されず、例えばバスダクトの中間部などで異相間の導体の間隔を拡げて導体を絶縁被覆から露出させ、前記露出導体を接触片を構成する一対の挟持片で挟持して分岐する構成や、空気絶縁型バスダクトの各相導体を接触片を構成する一対の挟持片で挟持して分岐する構成等とすることができる。
【産業上の利用可能性】
【００２８】
本発明は、建築物等に布設されるバスダクトの分岐に利用することができる。
【図面の簡単な説明】
【００２９】
【図１】（ａ）は第１実施例の分岐装置の遮断器取付前の状態を示す平面図、（ｂ）は同図（ａ）の分岐装置の正面図、（ｃ）は同図（ａ）のＡ−Ａ矢視説明図、（ｄ）は同図（ａ）のＢ−Ｂ矢視説明図。
【図２】（ａ）は図１の分岐装置に於ける分岐導体を示す平面図、（ｂ）は同図（ａ）の分岐導体の正面図、（ｃ）は同図（ａ）の分岐導体の右側面図。
【図３】（ａ）は図１の分岐装置に於ける遮断器取付体を示す平面図、（ｂ）は同図（ａ）の遮断器取付体の正面図、（ｃ）は同図（ａ）の遮断器取付体のＡ−Ａ矢視説明図、（ｄ）は同図（ａ）の遮断器取付体のＢ−Ｂ矢視説明図。
【図４】（ａ）は第１実施例の分岐装置の遮断器取付後の状態を示す平面図、（ｂ）は同図（ａ）の分岐装置の右側面図。
【図５】図１の分岐装置をバスダクトに取り付けた状態を示す正面図。
【図６】図４の分岐装置をバスダクトに取り付けた状態を示す平面図。
【図７】図４の分岐装置をバスダクトに取り付けた状態を示す一部縦断側面図。
【図８】（ａ）は第２実施例の分岐装置の蓋体を取り外した状態を示す平面図、（ｂ）は同図（ａ）の状態に於ける接触部を説明する正面説明図、（ｃ）は同図（ａ）の状態に於ける導体支持部を説明する正面説明図。
【図９】（ａ）は図８の分岐装置に於ける接触部の部分平面図、（ｂ）は同図（ａ）の接触部の部分正面図、（ｃ）は同図（ａ）の接触部の部分側面図。
【図１０】（ａ）は図８の分岐装置に遮断器を取り付けた状態を示す平面図、（ｂ）同図（ａ）の状態に於けるクリップ部を説明する正面説明図、（ｃ）は同図（ａ）の状態に於ける導体支持部を説明する正面説明図。
【図１１】（ａ）は図９の分岐装置に蓋体を取り付けた状態を示す平面図、（ｂ）は同図（ａ）の状態に於けるクリップ部を説明する正面説明図、（ｃ）は同図（ａ）の状態に於ける導体支持部を説明する正面説明図。
【図１２】（ａ）は別例の分岐装置を示す平面図、（ｂ）は同図（ａ）の分岐装置の正面図、（ｃ）は同図（ａ）の分岐装置の右側面説明図。
【符号の説明】
【００３０】
１００  分岐装置
１１０  基体
１１１  架台
１１２  導体支持部材
１１３  溝
１１４  取付ボルト
１１５  カバー
１２０、１５０、１７０  分岐導体
１２１、１５１、１７１  板状導体
１２２、１５２、１７２  接触部
１２３、１２４、１５４、１５７、１７５  接触片
１３０、１４１、１６０、１８０  ケーシング
１４０  遮断器
１４２  操作部
１４３  供給端子
１４４  クリップ
１５３、１７３、１７４  中継導体
２０  バスダクト
２１  導体
２１１  導体端部
３０  接続部
３２  導電性接続部材
【図１】
0004825045.tif 000002
【図２】
0004825045.tif 000003
【図３】
0004825045.tif 000004
【図４】
0004825045.tif 000005
【図５】
0004825045.tif 000006
【図６】
0004825045.tif 000007
【図７】
0004825045.tif 000008
【図８】
0004825045.tif 000009
【図９】
0004825045.tif 000010
【図１０】
0004825045.tif 000011
【図１１】
0004825045.tif 000012
【図１２】
0004825045.tif 000013